(57)【要約】【課題】  排水に際して植生土壌が流失してしまうことを防止でき、しかも充填した植生土壌が波や水流などで浸食される虞のない、長期に亘って安定した水生植物帯を造成し得る水生植物帯の造成に用いる植生用土嚢を提供する。【解決手段】  所定のエリアに造成されるヨシなどの水生植物帯の植生土壌層を形成するための植生土嚢４０であって、植生土壌３８を充填する袋体３６の少なくとも周側面３６ａと底面３６ｂとには、内部に充填される土壌３８の流失を防止する目あいの細かい織布４２が配設され、上面３６ｃには種々の水生植物の新芽や茎が容易に伸長生育し得る目あいの粗い不織布４４が開閉可能に配設されている。袋体３６の周側面３６ａと底面３６ｂとに目あいの細かい織布４２が使用されているので、排水時に水と一緒に内部に充填した植生土壌３８の土壌粒子が流出して失われてしまうことがない。一方、上面には充填された植生土壌の上表面を覆って目あいの粗い不織布があるので、充填した植生土壌が波などで浸食される虞がない。【選択図】    図４
2005102626.tif 000002
【特許請求の範囲】
【請求項１】
ヨシなどの水生植物帯の造成に用いる植生用の土嚢であって、少なくとも周側面と底面とに土壌の流失を防止する目あいの細かい布が配され、上面には水生植物の新芽の通過や茎の成長を阻害しない目あいの粗い布が配された袋体の内部に植生土壌が充填されて形成されていることを特徴とする水生植物帯の造成に用いる植生用土嚢。
【請求項２】
前記袋体は、底面と周側面とが織布でなり、上面が不織布でなることを特徴とする請求項１記載の水生植物帯の造成に用いる植生用土嚢。
【請求項３】
前記袋体は上面の布が開閉可能とされていることを特徴とする請求項１または２のいずれかに記載の水生植物帯の造成に用いる植生用土嚢。
【発明の詳細な説明】
【技術分野】
【０００１】
本発明は、ヨシなどの水生植物の育成を図るべく造成される水生植物帯に用いる植生用土嚢に関する。
【背景技術】
【０００２】
河川や湖沼等の水辺に生育するヨシなどの水生植物が、生活排水などによって汚染された水質の自然浄化に多大に寄与していることが知られており、水質の悪化した淡水の河川や湖沼等では、人工的にヨシ原を造成して水生植物を育成し、消失したヨシ原を再現して自然回帰させることが積極的に行われるようになってきた。
【０００３】
この人工ヨシ原は、砂泥などの流失を防ぐための堰堤を所望する所定の造成エリアの周囲に巡らし、内部に植生土壌を入れて植生土壌層を形成し、当該植生土壌層にヨシの株や地下茎を植え付けて造成しており、淡水水域でのヨシ原の再現化を達成し得ている。
【０００４】
また、近年では、この様な人工ヨシ原を河口周辺の汽水域にも造成しようという試みが行われ始めている。しかし、当該汽水域では、河川からの淡水が海水の表層に流れ込むとともに、潮の干満により潮位が変化するので、従来の淡水域の人工ヨシ原と同じ構造としたのでは、人工ヨシ原に入り込んだ汽水中の海水が排出されずに、その塩分の濃度が高まってヨシの生育が阻まれてしまうことになる。このため、汽水域に設ける水生植物帯にあっては、植生土壌の塩分を低く抑えられるようする必要がある。
【０００５】
このため、このような汽水域でも水生植物の生育が図れる水生植物帯として、従来、例えば特許文献１に開示されている人工ヨシ原の提案がある。当該提案の人工ヨシ原は、図８に示すように、コンクリート護岸２に沿って所定の造成エリアの周囲をコ字状等に石積み堤４で囲うとともに、この石積み堤４の内側に、砂を充填した土嚢や砕石などを積み上げてなる土壌流亡防止層６を設けることで、透水性の土壌流亡防止堤８を構築し、この土壌流亡防止堤８の内部に、上面が平らで低潮位時の水面高よりも高い位置にある基盤１０を設け、この基盤１０上に植生土壌１２を入れて植生土壌層を形成し、この植生土壌層にヨシなど水生植物の苗や地下茎を植えて育成するものである。
【０００６】
そして、この水生植物帯によれば、上げ潮の高潮位時に植生土壌１２が冠水して、その後の引き潮時に水面高の低下が生じても、当該植生土壌１２は透水性の土壌流亡防止堤８によって囲まれているので、植生土壌１２の外部への流出を防ぎながら汽水を土壌流亡防止堤８を透過させて堤外に排出することができ、水面が低潮位まで下がっていくに際しては、塩水の表層を覆う淡水が植生土壌１２に残存する塩分を洗い流すように機能して、植生土壌１２の塩分濃度の高まりを防止することになる。
【特許文献１】特開２００２−３２０４０９号公報
【発明の開示】
【発明が解決しようとする課題】
【０００７】
ところで、上記植生土壌層を形成する方法として、例えば土壌流亡防止層６の構築に用いる土嚢のように、透水性のある袋体に植生土壌１２を充填して形成した土嚢を植生基盤１０上に縦横に敷設することが考えられる。そして、この様な透水性のある袋体内に植生土壌を充填してなる土嚢を植生土壌層の形成に用いれば、排水時に土嚢内部の植生土壌１２が袋体外に流出することを防止することができるので、土壌流亡防止堤８をことさら設ける必要が無くなり、施工性の向上が図れるようになる。そして、このことは汽水域の水生植物帯に限らず、淡水域の水生植物帯の造成の場合でも同様のことが言える。
【０００８】
しかしながら、透水性があって土壌の流出を防止し得る従来の袋体を用いて、これに植生土壌を充填することで植生土壌層形成用の土嚢を構成すると、袋体の目あいが細かすぎるため、種々の水生植物の新芽や茎が袋体を貫通して生育し難く、結果としてヨシ原の再現は難しいものとなる。このため、水生植物の育成を図るためには土嚢を敷設した後に、当該土嚢の上表面を切り裂いて土壌１２を露出させる必要が生じる。然るに、このように袋体の表面を切り裂いて土壌表面を露出させてしまうと、植生土壌が波や水流などに浸食されて流失してしまうことになる。
【０００９】
本発明は、このような事情に鑑みてなされたものであり、その目的は、排水に際して植生土壌が流失してしまうことを防止でき、しかも充填した植生土壌が波や水流などに浸食される虞のない、長期に亘って安定した水生植物帯を造成し得る水生植物帯の造成に用いる植生用土嚢を提供することにある。
【課題を解決するための手段】
【００１０】
本発明は上記の目的を達成するために、水生植物帯の造成に用いる植生用土嚢を以下のように構成する。
【００１１】
請求項１に係るヨシなどの水生植物帯の造成に用いる植生用土嚢の発明は、少なくとも周側面と底面とに土壌の流失を防止する目あいの細かい布が配され、上面には水生植物の新芽の通過や茎の成長を阻害しない目あいの粗い布が配された袋体の内部に植生土壌が充填されて形成されていることを特徴とする。
【００１２】
請求項２に係る水生植物帯の造成に用いる植生用土嚢の発明は、前記袋体は、底面と周側面とが織布でなり、上面が目あいの粗い不織布でなることを特徴とする。
【００１３】
請求項３に係る水生植物帯の造成に用いる植生用土嚢の発明は、前記袋体は上面の布が開閉可能とされていることを特徴とする。
【発明の効果】
【００１４】
請求項１に係る水生植物帯の造成に用いる植生用土嚢の発明によれば、植生土壌を充填する袋体の周側面と底面とには目あいの細かい布が配設されているから、排水に際して植生土壌が流失してしまうことを防止することができるばかりか、上面には目あいの粗い不織布を使用して植生土壌の上表面を覆うようにしているので、種々の水生植物の新芽や茎が容易に伸長生育することができ、しかも充填した植生土壌が波や水流などで浸食される虞がなく、長期に亘って安定した水生植物帯を提供することができるようになる。
【００１５】
請求項２に示す水生植物帯の造成に用いる植生用土嚢の発明のように、植生用の土嚢の袋体の周側面と底面とには目あいの細かい織布を使用する一方、上面には目あいの粗い不織布を使用することで、排水による土壌の流失を防止でき、しかも種々の水生植物の育成を図れて、かつ植生土壌の波や水流などによる浸食も防止できる植生用土嚢を容易に実現できる。
【００１６】
請求項３に示す水生植物帯の造成に用いる植生用土嚢の発明のように、土嚢の上面の布を開閉可能にすれば、設置箇所に袋体を先行配置してからその内部に底泥等の植生土壌を充填した後に、上面の布を閉じるようになすことで、土壌を充填した重い袋体の吊り上げ・設置工を不要となし得、これにより更なる施工性の向上も図れる。
【発明を実施するための最良の形態】
【００１７】
以下に、本発明に係る汽水域の水性植物帯及びその造成方法の好適な実施の形態について、添付図面に基づき詳述する。
【００１８】
図１は本発明の水生植物帯の概要を示す平面図であり、図２は図１中のII−II線矢視断面図、図３は同じく図１中のIII−III線矢視断面図、図４は植生用の土嚢の縦断面図、図５は篭体とその上側部に装填する植生用の土嚢とを示す斜視図である。
【００１９】
図１に示すように、この実施形態例の水生植物帯２０は河川２２が海２４に注ぎ込んで海水と淡水とが混じり合う河口の汽水域の所定エリアに造成されてヨシなどの水生植物の育成に供せられる。この水生植物帯２０はコンクリート護岸２に沿って所定幅で沖合に延出されて設けられており、干潮時の水面高ＨLよりも上面２６ａが高所に設定された植生基盤２６と、この植生基盤２６上に設けられる植生土壌層２８とを有している。
【００２０】
植生基盤２６は、透水性のある礫地盤２９で形成されて排水層をなしており、当該実施形態例では図２に示すように、割栗石３０などを入れた多数の篭体３２が水底地盤３４上に縦横に敷設されて形成されている。そして、この多数の篭体３２が敷設されて形成された植生基盤２６の上面２６ａには、図４に示すような袋体３６の内部に植生土壌３８が充填されてなる多数の植生用の土嚢（以下、植生土嚢と称する。）４０が更に縦横に敷設載置されてることによって、植生土壌層２８が形成されている。
【００２１】
上記植生土嚢４０の袋体３６は、少なくともその周側面３６ａと底面３６ｂとの部分には土壌の流出を防止可能な目あいの細かい織布４２が使用される一方、上面３６ｃには水生植物の新芽の通過や茎の成長を阻害しない目あいの粗い不織布４４が使用されて、開閉可能に配されている。即ち、多数の植生土嚢４０が縦横に配設されて形成される植生土壌層２８はその少なくとも周側面と底面とに、土壌の流失を防止する土壌流失防止手段として、目あいの細かい布が配設された構成となっている。また、袋体３６の内部に充填される植生土壌３８にはヨシなどの水生植物の根茎や苗、種子が予め埋設されている。
【００２２】
より具体的には、図２，図５に示すように、篭体３２は直方体状をなし、その各辺にはアングル材やロッド材でなるフレーム４５が設けられていて、当該フレーム４５に袋状に編まれた網材４６が係止されることによって形成されている。そして、当該篭体３２内に入れられる割栗石３０は、干潮時にその上端部分が低潮位の水面ＨLから露出するようにその水底地盤３４から所定の高さまで充填され、当該割栗石３０で形成される礫地盤２９はその上側部分が干潮時に水面上に露出するように設定される。
【００２３】
また、割栗石３０を充填した篭体３２の上側部には更に植生土嚢４０を挿入する空間が空けられていて、当該上側部空間内に植生土嚢４０が装填されることで、当該植生土嚢４０は上記フレーム４５および網材４６に周側部を拘束されて、その型くずれが防止されるようになっている。この植生土嚢４０は予め植生土壌３８を充填しておいてから篭体３２の上側部空間に挿入して礫地盤２９上に載置しても良いが、図５に示すように先に袋体３６だけを上記上側部空間内に挿入して上記フレーム４５に固定係止させて取り付けておき、爾後に植生土壌３８として底泥をポンプなどで吸い上げてパイプ４８を通じて充填するようにしても良い。あるいは、底泥の含水比が高い場合には、底泥をスクリューデカンタやサンドコレクター等を用いて分級脱水処理してデカンタケーキ等の材料となしてから充填するようにしても良い。なお、植生土壌３８の材料としては上記底泥の他に、山土、川砂等を用いても良い。また、篭体３２内に入れて礫地盤２９を形成する材料としては、上記割栗石３０の他にコンクリート塊やカキ殻等のリサイクル材を用いても良い。
【００２４】
そして、この様な構成の水生植物帯２０にあっては、引き潮の際の低潮位時には、汽水域の水面位が植生土壌層２８を形成する植生土嚢４０よりも下方に低下して、礫地盤２９に形成した植生基盤２６の上側部が水面上に露出するので、植生土嚢４０内の排水が可及的に早く行われるようになり、しかも水面位の低下時には先ず下層の塩水が引けた後からその上層の淡水が植生土壌層２８を通過して下方に低下していくから、当該淡水層が植生土壌層２８内の塩水を洗い流すように機能して、植生土壌層２８には塩水が滞留し難くなる。また、排水性の良い礫地盤２９を適切な高さに容易に設置できるので、汽水域表層の淡水（厚さ数ｃｍ〜数十ｃｍ）に植生土壌層２８が接触する頻度を可及的に高める得る。このため、植生土壌層２８の塩分濃度が高まってしまうことを防止して、ヨシなどの水生植物の生育を図ることが可能となる。また、干潮時に植生土壌３８の底部を空気に触れさせることができるので、土壌の好気化を促進して、腐敗性の底泥等も植生土壌として有効に利用可能となし得る。
【００２５】
また、植生土壌層２８を形成する植生土嚢４０は袋体３６の周側面３６ａと底面３６ｂとに目あいの細かい織布４２が使用されているので、充填した植生土壌３８の土壌粒子が排水時に流出して失われることがなく、土壌の流失防止機能を備えた植生土壌層２８を容易に造成することができる。そして、植生土嚢４０の袋体３６の周側面３６ａと底面３６ｂとには目あいの細かい織布４２を使用する一方、上面３６ｃには目あいの粗い不織布４４を使用することで、排水による土壌３８の流失を防止でき、しかも種々の水生植物の育成を図れて、かつ植生土壌３８の波や水流などによる浸食も防止できる植生用土嚢４０を容易に実現できる。
【００２６】
また、下部に礫地盤２９の排水層があるので、底泥等の脱水性も向上し安定した植生土壌層２８を提供し得る。さらに、植生土嚢４０は袋体３６の上面に目あいの粗い不織布４４を使用して植生土壌３８の上表面を覆うようにしているので、種々の水生植物の新芽や茎が容易に伸長し得るばかりか、充填した植生土壌３８の底泥が波や水流によって浸食される虞がない。ここで、植栽土嚢４０の上面は上記不織布４４に加えて更に礫等で覆うようにするのがより好ましい。
【００２７】
また、予め汽水域の所定の構築予定エリアの施工位置に篭体３２等のフレーム構造物を設置して植生基盤２６を形成し、この植生基盤２６上に植生土嚢４０を縦横に敷設配置していくことで、礫地盤２９でなる植生基盤２６や植生土壌層２８をその構築エリアの大小に合わせて容易に迅速に造成できる。また、この植生基盤２６上の植生土嚢４０設置箇所において、上記フレーム４５に植生土嚢４０の袋体３６の上端部等を固定係止して先行配置し、上面の不織布４４を開いてその内部に底泥等の植生土壌３８を充填し、爾後、当該植生土壌３８内に水生植物の苗や地下茎等を植え込んでから不織布を閉じるようにすることで、脱水処理後の袋体の吊り上げ・設置工を不要となし得、これにより更なる施工性の向上も図れる。また、高含水比の底泥等を使用する場合には、浚渫底泥等をスクリューデカンタで分級処理した後のデカンタケーキ等を用いるようにすれば、流動性を確保しつつ含水比を低くなし得るので、施工性が良く、かつ充填後の脱水による減容化率も低いものとなるので、出来形の変形も防げるようになる。
【００２８】
ここで、図１及び図３に示すように、上記水生植物帯２０には、汽水域に流れ込む河川２２の淡水を植生土壌層２８に導く淡水供給手段４９として導水路５０を設けるのが好ましい。図示例では、当該導水路５０は汽水域の満潮位の水面高さＨｈよりも高所となる河川の上流部に導入口５２ａを有するとともに、排出口５２ｂが水生植物帯２０の植生土壌層２８に臨む管路５２によって構成されており、当該管路５２は河川２２に沿ってその水中を這わされて設置されている。そして、この様な導水路５０を設ければ、潮の干満に拘わらず絶えず淡水を植生土壌層２８に導いて供給することができ、当該植生土壌層２８の塩分濃度を更に可及的に低く抑制し得る。
【００２９】
また、図６と図７とに示すように、上記導水路５０の管路５２はその導入口５２ａの設置位置を河口近くに設定してその全長を短くすることも可能である。即ち、導入口５２ａを河口流域部の近辺に設定しても、満潮位からの引き潮時に、水生植物帯２０の植生土壌層２８に臨ませた排出口５２ｂの設置部位における潮位が導入口５２ａの設置部位の水面位よりも低くなれば、少なくとも当該干潮時の水頭圧を利用して植生土壌層２８に淡水を供給することが十分に可能である。
【００３０】
なお、図示した実施形態では、導入路５０により河川２２の淡水を導くようにしているが、近辺に淡水の沼や池等があれば、当該沼や池等から淡水を導入するようにしても良いし、或いは雨水受け用の貯水池等を設置して当該貯水池から淡水を導入するようにしても良い。さらに、上述した実施形態では植生土嚢４０を載置する植生基盤２６には透水性のある礫地盤２９に形成してあるが、当該植生基盤２６には必ずしも透水性を付与しなくても、引き潮の干潮時に植生基盤２６の上面が低潮位の水面上に露出さえすれば、植生土壌層２８内の排水性を良好にして、塩水の排出を早く行えるようになるから、透水性のないコンクリートブロック等を敷設することで植生基盤２６を構築するようにしても、なんら支障が生じることはない。
【００３１】
また、上述した実施形態では、コンクリート護岸２に沿って設けられる水生植物帯２０の形成に本発明の植生土嚢４０を採用する例を示しているが、本発明はこれに限定されることはなく、護岸から離間した沖合に浮島として水生植物帯を構築する場合にも適用し得る。さらに、上述した実施形態では、汽水域に造成する水生植物帯２０に本発明の植生用土嚢４０を採用する例を説明したが、本発明の植生用土嚢４０はこのような汽水域に限らず、淡水の湖沼や池、河川などの水辺に造成する水生植物帯にも適用可能であることは言うまでもない。
【図面の簡単な説明】
【００３２】
【図１】本発明に係る汽水域の水植物帯の概要を示す平面図である。
【図２】図１中のII−II線矢視断面図である。
【図３】図１中のIII−III線矢視断面図である。
【図４】植栽土嚢の縦断面図である。
【図５】篭体とその上側部に装填する植栽土嚢とを示す斜視図である。
【図６】淡水の導水路の他の実施携帯を示す平面図である。
【図７】図６中のVII−VII線矢視断面図であり、（ａ）は上げ潮時の状態を示す図、（ｂ）は引き潮時を示す図である。
【図８】従来の植生植物帯の縦断面図である。
【符号の説明】
【００３３】
２    コンクリート護岸              ２０    水生植物帯
２２    河川                          ２４    海
２６    植生基盤                      ２６ａ  植生基盤上面
２８    植生土壌層                    ２９    礫地盤
３０    割栗石                        ３２    篭体
３４    水底地盤                      ３６    袋体
３６ａ  袋体周側面                    ３６ｂ  袋体底面
３６ｃ  袋体上面                      ３８    植生土壌
４０    植生土嚢                      ４２    織布
４４    不織布                        ４５    フレーム
４６    網部材                        ４９    淡水供給手段
５０    導水路                        ５２    管路
５２ａ  導入口                        ５２ｂ  排出口
【図１】
2005102626.tif 000003
【図２】
2005102626.tif 000004
【図３】
2005102626.tif 000005
【図４】
2005102626.tif 000006
【図５】
2005102626.tif 000007
【図６】
2005102626.tif 000008
【図７】
2005102626.tif 000009
【図８】
2005102626.tif 000010